(57)【要約】【課題】より直感的な操作で外部メモリ内の画像データを表示することが可能な撮像装置を提供すること。【解決手段】撮像装置１００に外部メモリ２００が装着されている状態において振動検出部１１０による操作入力が検出された場合に外部メモリ２００に記録されている画像データに基づく画像を表示部１０５に表示させるように制御するとともに、外部メモリ２００の装着が検出されていない状態において操作入力が検出された場合に画像処理部１０４によって得られた画像データを内蔵メモリ１０７に記録する又は画像処理部１０４によって得られた画像データに基づく画像を表示部１０５に表示させる。【選択図】図１
2012019479.tif 000002
【特許請求の範囲】
【請求項１】
被写体像を光電変換して被写体像に基づく画像データを出力する撮像部と、
前記画像データに対して画像処理を行って第１の記録画像データを生成する画像処理部と、
前記第１の記録画像データを記録する第１の記録部と、
第２の記録画像データを記録する第２の記録部を少なくとも有する外部装置の当該撮像装置への着脱を検出する外部装置着脱検出部と、
画像を表示する表示部と、
当該撮像装置の振動による操作入力を検出する操作入力検出部と、
前記外部装置の装着が検出されている状態において前記操作入力が検出された場合に前記第２の記録画像データに基づく画像を前記表示部に表示させるように制御するとともに、前記外部装置の装着が検出されていない状態において前記操作入力が検出された場合に前記第１の記録画像データを前記第１の記録部に記録させるように制御する又は前記第１の記録画像データに基づく画像を前記表示部に表示させるように制御する制御部と、
を具備することを特徴とする撮像装置。
【請求項２】
前記制御部は、前記外部装置が装着された状態において前記操作入力が検出された場合に、当該撮像装置の動作モードが記録モードであるか再生モードであるか及び前記操作入力の検出結果によって、前記表示部に表示させる画像を、前記第２の記録部の容量を表す画像、前記第２の記録画像データに基づく画像、画像処理設定を行うための画像の間で切り替えることを特徴とする請求項１に記載の撮像装置。
【請求項３】
前記制御部は、前記外部装置が装着された状態において前記操作入力が検出された場合で、前記画像処理設定がなされたときに、前記画像処理部により前記画像処理設定に従って画像処理を行わせて得られた第１の記録画像データを前記第２の記録部に記録するように制御することを特徴とする請求項２に記載の撮像装置。
【発明の詳細な説明】
【技術分野】
【０００１】
本発明は、記録部を有する外部装置を装着可能な撮像装置に関する。
【背景技術】
【０００２】
撮影により得られた画像の内容を確認するための技術として例えば特許文献１の提案がある。特許文献１では、撮像装置（カメラ付き運転監視装置）本体に設けられた操作部の操作によって、メモリに記録された画像データを再生し、画像データの再生の結果として得られたビデオ信号を表示部に出力して画像表示を行っている。
【先行技術文献】
【特許文献】
【０００３】
【特許文献１】特開２００８−２９３０８３号公報
【発明の概要】
【発明が解決しようとする課題】
【０００４】
ここで、特許文献１では装置本体内にメモリが内蔵されており、内蔵メモリに記録された画像データを再生するようにしている。これに対し、内蔵メモリに加えて、外部メモリを装置本体に装着可能な構成とした場合に特許文献１の技術を適用すると、撮像装置に装着された外部メモリ内の画像データを選択して読み出すための操作部の操作が必要となる。このような操作はユーザに煩わしさを感じさせるおそれがある。
【０００５】
本発明は、上記の事情に鑑みてなされたもので、より直感的な操作で外部メモリ内の画像データを表示することが可能な撮像装置を提供することを目的とする。
【課題を解決するための手段】
【０００６】
上記の目的を達成するために、本発明の一態様の撮像装置は、被写体像を光電変換して被写体像に基づく画像データを出力する撮像部と、前記画像データに対して画像処理を行って第１の記録画像データを生成する画像処理部と、前記第１の記録画像データを記録する第１の記録部と、第２の記録画像データを記録する第２の記録部を少なくとも有する外部装置の当該撮像装置への着脱を検出する外部装置着脱検出部と、画像を表示する表示部と、当該撮像装置の振動による操作入力を検出する操作入力検出部と、前記外部装置の装着が検出されている状態において前記操作入力が検出された場合に前記第２の記録画像データに基づく画像を前記表示部に表示させるように制御するとともに、前記外部装置の装着が検出されていない状態において前記操作入力が検出された場合に前記第１の記録画像データを前記第１の記録部に記録させるように制御する又は前記第１の記録画像データに基づく画像を前記表示部に表示させるように制御する制御部と、を具備することを特徴とする。
【発明の効果】
【０００７】
本発明によれば、より直感的な操作で外部メモリ内の画像データを表示することが可能となる。
【図面の簡単な説明】
【０００８】
【図１】本発明の一実施形態に係る撮像装置を有する画像記録再生システムの構成を示す図。
【図２】外部メモリに記録されている画像の表示について示す図。
【図３】画像記録再生の動作について示すフローチャート。
【図４】振動検出部の振動と制御部の制御内容との関係の一例を示す図。
【発明を実施するための形態】
【０００９】
以下、図面を参照して本発明の実施形態を説明する。  
図１は、本発明の一実施形態に係る撮像装置を有する画像記録再生システムの構成を示す図である。本画像記録再生システムは、図１に示すように、撮像装置１００と、外部装置としての無線通信機能付記録装置（以下、単に外部メモリと言う）２００とを有している。外部メモリ２００は、図２に示すように撮像装置１００に設けられた装着部１００ａを介して撮像装置１００に着脱自在に構成されている。撮像装置１００に外部メモリ２００が装着された場合には、撮像装置１００と外部メモリ２００とが通信自在に接続される。さらに、外部メモリ２００は、撮像装置１００から分離した状態で持ち運ぶことが可能である。そして、外部メモリ２００は、撮像装置１００から分離されている状態で、撮像装置１００以外の外部装置との通信が可能になされている。
【００１０】
なお、撮像装置１００に設けられた装着部１００ａには、外部メモリ２００の他に外部ストロボや外部マイク等の各種の外部装置を装着可能である。
撮像装置１００は、撮像部１０１と、バス１０２と、ＳＤＲＡＭ１０３と、画像処理部１０４と、表示部１０５と、音声処理部１０６と、記録媒体（内蔵メモリ）１０７と、制御部１０８と、操作部１０９と、振動検出部１１０と、インターフェイス（Ｉ／Ｆ）１１１とを有している。
【００１１】
撮像部１０１は、レンズや撮像素子、アナログ/デジタル（Ａ/Ｄ）変換部等を有しており、被写体の像を受光して電気信号（画像信号）に変換し、この画像信号をデジタル信号に変換して被写体の像に基づく画像データを生成する。バス１０２は、撮像装置１００の内部で発生した各種のデータを撮像装置１００内の各ブロックに転送するための転送路である。ＳＤＲＡＭ１０３は、撮像装置１００の内部で発生した各種のデータを一時記憶しておくための記憶部である。画像処理部１０４は、階調補正回路や圧縮伸張回路、各種のフィルタ処理回路等を備え、撮像部１０１で得られた画像データに対して各種の画像処理を施す。表示部１０５は、例えば液晶ディスプレイであり、画像や撮影情報等を表示する。音声処理部１０６は、予め記憶されている各種の音声データを再生するための処理を行う。第１の記録部としての機能を有する内蔵メモリ１０７は、撮像装置１００に内蔵の記録媒体であり、画像処理部１０４で処理された画像データ等が記録される。なお、記録媒体として撮像装置１００に着脱自在なメモリを用いるようにしても良い。
【００１２】
制御部１０８は、撮像部１０１の動作制御や表示部１０５の動作制御等の、撮像装置１００の各種シーケンスを統括的に制御する。操作部１０９は、ユーザが撮像装置１００を操作するための各種の操作部材である。図２に操作部１０９を構成する操作部材の例を示す。図２は操作部１０９として、レリーズスチル（ＲＳ）ボタン１０９ａと、レリーズムービー（ＲＭ）ボタン１０９ｂと、モードダイアル１０９ｃとが設けられている例を示している。ＲＳボタン１０９ａは静止画撮影の実行を指示するための操作部材である。ＲＭボタン１０９ｂは動画撮影の実行開始及び実行終了を指示するための操作部材である。モードダイアル１０９ｃは撮像装置１００の動作モードを設定するための操作部材である。なお、操作部１０９としては表示部１０５と一体的に設けられたタッチパネルも含まれる。操作入力検出部としての機能を有する振動検出部１１０は、例えば加速度センサから構成され、撮像装置１００の振動をユーザによる操作入力として検出する。  
Ｉ／Ｆ１１１は、撮像装置１００が外部メモリ２００と通信するための通信インターフェイスである。Ｉ／Ｆ１１１は、例えば外部メモリ２００と有線通信を行うための通信インターフェイスとして、例えばユニバーサルシリアルバス（ＵＳＢ）インターフェイスを備えている。勿論、ＵＳＢインターフェイス以外を持たせるようにしても良い。
【００１３】
外部メモリ２００は、メモリ２０１と、インターフェイス（Ｉ／Ｆ）２０２と、ドライバ２０３と、振動検出部２０４と、通信部２０５とを有している。  
第２の記録部としての機能を有するメモリ２０１は、撮像装置１００によって得られた画像データ等が記録される。なお、メモリ２０１は、内蔵メモリ１０７よりは小さな記録容量を有しているが、外部装置における画像の表示には十分な程度（外部装置の解像度相当の画素数を有する画像データを記録できる程度）の画像データが記録できる記録容量を有しているものである。Ｉ／Ｆ２０２は、外部メモリ２００が撮像装置１００と通信するための通信インターフェイスである。ドライバ２０３は、Ｉ／Ｆ２０２や通信部２０５を動作させるためのドライバである。振動検出部２０４は、例えば加速度センサから構成され、撮像装置１００の振動をユーザによる操作入力として検出する。通信部２０５は、外部メモリ２００が外部装置と通信するための有線インターフェイス又は無線インターフェイスを備えている。
【００１４】
次に、図１に示す画像記録再生の動作について図３を参照して説明する。図３において、外部装置着脱検出部としての機能を有する制御部１０８は、まず装着部１００ａの状態検出を行う（Ｓ１）。そして、状態検出の結果、制御部１０８は、装着部１００ａに外部機器が装着されているか、装着されている場合には装着されている外部機器が何であるかを特定する（Ｓ２）。例えば、制御部１０８は、状態検出として外部機器と通信を行い、外部機器から送信されてくるアクセサリフラグ（ＡＣＣ）の値によって装着部１０１ａに装着されている外部機器を特定する。図３は、ＡＣＣが１の場合に外部メモリ２００、２の場合に外部ストロボ、３の場合に外部マイクである例を示している。装着部１００ａの状態検出の後、制御部１０８は、動作モードをチェックする（Ｓ３）。そして、制御部１０８は、撮影を行うか、即ち動作モードが記録モードであるかを判定する（Ｓ４）。
【００１５】
Ｓ４において撮影を行う場合に、制御部１０８は、ＲＳボタン１０９ａが押されてＲＳスイッチがオンされたかを判定する（Ｓ５）。Ｓ５においてＲＳスイッチがオンされた場合に、制御部１０８は、静止画撮影を行う（Ｓ６）。制御部１０８は、所定の露光時間だけ撮像部１０１を動作させて静止画像データを取り込み、取り込んだ静止画像データに対する画像処理を画像処理部１０４によって施す。画像処理後、制御部１０８は、画像処理によって得られた画像データをＳＤＲＡＭ１０３に記憶させる。静止画撮影の後、制御部１０８は、ＡＣＣが１であるかを判定する（Ｓ７）。Ｓ７においてＡＣＣが１である場合に、制御部１０８は、ＳＤＲＡＭ１０３に記憶された静止画像データに対する外部メモリ２００への記録用画像処理（例えば特殊効果を得るための各種のフィルタ処理）を画像処理部１０４によって施す（Ｓ８）。外部メモリ２００への記録用画像処理は、ユーザの操作入力に応じた画像処理設定に従って行う。外部メモリ２００への記録用画像処理後、制御部１０８は、画像処理によって得られた画像データをＳＤＲＡＭ１０３に記憶させる。この際、Ｓ６において画像データを記憶した記憶領域とは別の記憶領域に外部メモリ２００への記録用の画像データを記憶させる。Ｓ８の後、制御部１０８は、Ｓ６において記憶した静止画像データに基づく画像を表示部１０５に表示させる（Ｓ９）。この際、外部メモリ２００への記録用画像処理がなされた後の画像データに基づく画像も併せて表示させるようにしても良い。Ｓ９の後、制御部１０８は、Ｓ６において記憶した静止画像データを静止画像ファイルとして内蔵メモリ１０７に記録するとともに、Ｓ８において記憶した外部メモリ２００への記録用の画像データを外部メモリ２００のメモリ２０１に記録する（Ｓ１０）。
【００１６】
Ｓ７においてＡＣＣが１でない場合に、制御部１０８は、Ｓ６において記憶した静止画像データに基づく画像を表示部１０５に表示させるとともに、内蔵メモリ１０７に記録する（Ｓ１１）。
Ｓ５においてＲＳスイッチがオンされていない場合に、制御部１０８は、ＲＭボタン１０９ｂが押されてＲＭスイッチがオンされたかを判定する（Ｓ１２）。Ｓ１２においてＲＭスイッチがオンされた場合に、制御部１０８は、動画撮影・音声記録を行う（Ｓ１３）制御部１０８は、撮像部１０１を動作させて動画像データを取り込み、取り込んだ動画像データに対する画像処理を画像処理部１０４によって施す。画像処理後、制御部１０８は、画像処理によって得られた動画像データをＳＤＲＡＭ１０３に記憶させる。この動作と並行して、制御部１０８は、音声処理部１０６によって音声データを取り込み、取り込んだ音声データに対する音声処理を音声処理部１０６によって施す。音声処理後、制御部１０８は、音声処理によって得られた音声データをＳＤＲＡＭ１０３に記憶させる。Ｓ１３の後、制御部１０８は、ＲＭスイッチが再びオンされたかを判定する（Ｓ１４）。Ｓ１４においてＲＭスイッチがオンされていない場合に、制御部１０８は動画撮影・音声記録を継続する。Ｓ１４においてＲＭスイッチがオンされた場合に、制御部１０８は、ＳＤＲＡＭ１０３に記憶された動画像データ及び音声データを動画ファイルとして記録する記録終了処理を行う（Ｓ１５）。
【００１７】
Ｓ１２においてＲＭスイッチがオンでない場合に、制御部１０８は、操作部１０９及び振動検出部１１０による操作入力のチェックを行う（Ｓ１６）。そして、制御部１０８は、ＡＣＣが１であるかを判定する（Ｓ１７）。Ｓ１７においてＡＣＣが１でない場合に、制御部１０８は、Ｓ１９以後の処理を行う。Ｓ１７において、ＡＣＣが１である場合に、制御部１０８は、振動検出部１１０の操作入力に応じた外部メモリ２００の各種制御を行う（Ｓ１８）。Ｓ１８の制御の詳細は後述する。Ｓ１８の後、制御部１０８は、操作部１０９や振動検出部１１０の操作入力に応じた撮像装置１００の設定制御を行う（Ｓ１９）。この設定としては、内蔵メモリ１０７に記録する画像データの画像処理設定や各種の撮影条件設定等が含まれる。
【００１８】
また、Ｓ４において撮影を行わない場合、即ち動作モードが再生モードである場合、制御部１０８は、画像の再生を行うか、即ち動作モードが再生モードであるかを判定する（Ｓ２０）。Ｓ２０において再生を行う場合に、制御部１０８は、操作部１０９及び振動検出部１１０による操作入力のチェックを行う（Ｓ２１）。そして、制御部１０８は、ＡＣＣが１であるかを判定する（Ｓ２２）。Ｓ２２においてＡＣＣが１でない場合に、制御部１０８は、Ｓ２４以後の処理を行う。Ｓ２２において、ＡＣＣが１である場合に、制御部１０８は、振動検出部１１０の操作入力に応じた外部メモリ２００の各種制御を行う（Ｓ２３）。Ｓ２３の制御の詳細は後述する。Ｓ２３の後、制御部１０８は、操作部１０９や振動検出部１１０の操作入力に応じた撮像装置１００の設定制御を行う（Ｓ２４）。この設定としては、内蔵メモリ１０７に記録された画像データの再生制御等が含まれる。
【００１９】
また、Ｓ２０において再生を行わない場合、即ち動作モードが記録モードでも再生モードでもない場合に、制御部１０８は、操作部１０９の操作入力に応じた撮像装置１００の設定制御を行う（Ｓ２５）。この設定としては、時刻設定等の記録や再生に関わらない各種の設定が含まれる。
【００２０】
図４は、Ｓ１８、Ｓ２３の制御について説明するための図である。本実施形態においては、外部メモリ２００に対する操作入力を、操作部１０９の操作入力ではなく、撮像装置１００の振動検出部１１０に加えられた振動によって検出する。以下、Ｓ１８の記録モード時の制御とＳ２３の再生モード時の制御のそれぞれについて説明する。
【００２１】
ＡＣＣが１である場合、即ち外部メモリ２００の装着が検出された場合には、記録モードの場合であっても、再生モードの場合であっても、図２に示すように、それまで表示部１０５に表示されていた画像１０５ａに、画像１０５ｂとして外部メモリ２００が装着されたことをユーザに知らせるための画像を重畳表示させる。この画像は、例えば外部メモリ２００内に記録されている画像データの容量を示す画像とする。この際、例えば、水等の液体が外部メモリ２００から撮像装置１００に向けて落下していくかのような態様の画像を変形する加工処理を画像処理部１０４で行い、表示させる。そして、液体の落下速度を外部メモリ２００内の画像データの容量に応じて変えるようにする。図４では落下速度の違いを矢印で示している。なお、液体の落下に応じて音声処理部１０６で音声を発生するようにしても良い。
【００２２】
ユーザが撮像装置１００を上（ＲＳボタン１０９ａ等が設けられている側とする）から１回叩くと、撮像装置１００の下方への振動が振動検出部１１０によって検出される。このとき、記録モードにおいては、制御部１０８は外部メモリ２００に対して画像データの送信要求を行う。そして、外部メモリ２００から送信されてきた画像データのうちの先頭の画像データを画像１０５ｂとして表示部１０５に表示させる。これにより、外部メモリ２００内の画像データに基づく画像の表示が開始される。また、再生モードにおいても同様に、制御部１０８は、外部メモリ２００から送信されてきた画像データのうちの先頭の画像データを画像１０５ｂとして表示部１０５に表示させる。
【００２３】
ユーザが撮像装置１００を背面（表示部１０５が設けられている側とする）から１回叩くと、撮像装置１００の前方への振動が振動検出部１１０によって検出される。このとき、記録モードにおいては、制御部１０８は、外部メモリ２００から送信されてきた画像データのうち、現在再生している画像データの前の画像データに基づく画像１０５ｂとして表示部１０５に表示させる。また、再生モード時の場合も同様に、制御部１０８は、外部メモリ２００から送信されてきた画像データのうち、現在再生している画像データの前の画像データに基づく画像を画像１０５ｂとして表示部１０５に表示させる。
【００２４】
ユーザが撮像装置１００を正面から１回叩くと、撮像装置１００の後方への振動が振動検出部１１０によって検出される。このとき、記録モードにおいては、制御部１０８は、外部メモリ２００から送信されてきた画像データのうち、現在再生している画像データの次の画像データを画像１０５ｂとして表示部１０５に表示させる。また、再生モード時の場合も同様に、制御部１０８は、外部メモリ２００から送信されてきた画像データのうち、現在再生している画像データの次の画像データを画像１０５ｂとして表示部１０５に表示させる。
【００２５】
ユーザが撮像装置１００を右側面から１回叩くと、撮像装置１００の左方への振動が振動検出部１１０によって検出される。このとき、記録モードにおいては、制御部１０８は、画像処理設定を行うためのサイクルメニューを表示させる。この画像処理設定は、Ｓ８において外部メモリ２００に記録する画像データに与える特殊効果処理の内容を設定するためのものである。サイクルメニューが表示されている間は、操作部１０９に含まれるタッチパネルによってユーザは所望の特殊効果処理を選択できる。特殊効果処理が選択された場合には、Ｓ８における画像処理の際に、ユーザによって選択された特殊効果処理に対応したフィルタ処理が行われる。また、再生モードにおいては、制御部１０８は、外部メモリ２００との通信設定やカレンダー表示等を行うためのサイクルメニューを表示させる。
【００２６】
ユーザが撮像装置１００を背面から２回叩くと、記録モードにおいては、制御部１０８は、外部メモリ２００から送信されてきた画像データのうちの先頭の画像データに基づく画像を画像１０５ｂとして表示部１０５に再表示させる。また、再生モード時の場合も同様に、制御部１０８は、外部メモリ２００から送信されてきた画像データのうちの先頭の画像の画像データに基づく画像を画像１０５ｂとして表示部１０５に表示させる。この他、撮像装置１００を背面から２回叩くことによって、撮像装置１００に対する各種の設定を行えるようにしたり、表示画像をスクロールできるようにしたりできるようにしても良い。
【００２７】
ＡＣＣが１からその他に切り替わった場合、即ち外部メモリ２００が取り外された場合には、記録モードの場合であっても、再生モードの場合であっても、外部メモリ２００が取り外されたことをユーザに知らせるための画像を表示させる。この画像としては、例えば、水等の液体が外部メモリ２００に戻っていくかのような態様の画像を変形処理し、表示させる。
【００２８】
以上説明したように、本実施形態によれば、撮像装置１００に振動を与えるだけという直感的な操作で外部メモリ２００に記録された画像データを再生することが可能である。また、例えば撮像装置１００を手で特定の方向に振ることによって、本実施形態と同様の振動を与えるという操作で外部メモリ２００に記録する画像データに対する画像処理設定等を行うことも可能である。このように、本実施形態では非常に簡単な操作で外部メモリ２００の制御を行うことが可能である。
【００２９】
また、図３の例では撮像装置１００の振動検出部１１０の振動を検出し、この振動に応じた制御を行うようにしているので、外部メモリ２００には操作部を設ける必要がない。
ここで、図４で示した振動検出部１１０の振動と制御部１０８の制御内容との関係は一例であって適宜変更可能である。また、この関係をユーザが設定できるようにしても良い。さらに、図４で示した制御は主に外部メモリ２００に対する制御であるが、例えば外部メモリ２００が装着されていない場合には内蔵メモリ１０７に対する制御として図４で示した制御を実行するようにしても良い。
【００３０】
また、図３の例では撮像装置１００の振動検出部１１０の振動を検出し、この振動に応じた制御を行うようにしているが、外部メモリ２００の振動検出部２０４で検出した振動に応じて制御部１０８が各種の制御を行うようにしても良い。この場合には、振動検出部２０４によって検出した振動を示す信号を撮像装置１００の制御部１０８に通信する必要が生じる。
【００３１】
以上実施形態に基づいて本発明を説明したが、本発明は上述した実施形態に限定されるものではなく、本発明の要旨の範囲内で種々の変形や応用が可能なことは勿論である。
【符号の説明】
【００３２】
１００…撮像装置、１０１…撮像部、１０２…バス、１０３…ＳＤＲＡＭ、１０４…画像処理部、１０５…表示部、１０６…音声処理部、１０７…記録媒体（内蔵メモリ）、１０８…制御部、１０９…操作部、１１０…振動検出部、１１１…インターフェイス（Ｉ／Ｆ）、２００…無線通信機能付記憶装置（外部メモリ）、２０１…メモリ、２０２…インターフェイス（Ｉ／Ｆ）、２０３…ドライバ、２０４…振動検出部、２０５…通信部
【図１】
2012019479.tif 000003
【図２】
2012019479.tif 000004
【図３】
2012019479.tif 000005
【図４】
2012019479.tif 000006